(57)【特許請求の範囲】
【請求項１】
表示部と、
この表示部を内蔵するとともに、対向する側壁部、これらの側壁部の間に架設された軸部、及びこの軸部の軸芯周りに沿う複数の箇所にそれぞれ穴が形成された溝底部からなる溝を背面側に設けた筐体と、
この軸部が摺動自在に挿通される長穴を一端部に有し、この長穴の前記一端部側の内壁が前記軸部に当接する位置と、前記長穴の他端部側の内壁が前記軸部に当接する位置との間を前記長穴の長径方向に沿って移動可能にされた脚部と、を備え、
前記溝底部に形成された複数の穴のうちのいずれかの穴にこの脚部の一端部の先端部が差込まれることにより前記表示部を設置面に対して所望の起立角度で起立させるとともに、この先端部がこの穴から引抜かれて他の穴に差込まれることによりこの起立角度を調整することを特徴とする表示デバイスのスタンド機構。
【請求項２】
前記複数の穴のうちのいずれかの穴は、前記脚部の一端部の先端部がこの穴に差込まれたときにこの脚部の他端部が前記溝の開口面から突出しない状態になる箇所に形成されたことを特徴とする請求項１記載の表示デバイスのスタンド機構。
【発明の詳細な説明】
【技術分野】
【０００１】
本発明は、情報の表示機能を有する表示部とこの表示部を設置面に対して所望の角度傾斜させた状態で支持するスタンド部材とを有し、表示部の設置面に対する起立角度を変更する機能を備えた表示デバイスのスタンド機構に関する。
【背景技術】
【０００２】
一般に、デジタルフォトスタンドといった表示デバイスは、液晶ディスプレイを使用している場合がほとんどである。液晶ディスプレイは視野角を有するため、見る角度によっては、液晶ディスプレイの画面は非常に見づらくなる。可視範囲より外れた角度からこの画面を見ると、画面が暗くなって見えなくなる場合や、画面の色合いが変化する場合がある。画面を覗き込む角度を変えることによって画面を見やすくすることはできるが、見る側に覗き込む角度を変えることを強制することは適当ではない。
【０００３】
そこで通常は、液晶ディスプレイの水平台の面に対する角度を調整する機構を表示デバイスに設けることにより、表示デバイスの設置場所と見る側との相対位置に応じてこの角度を適切な値に設定している。この角度調整を行う方法は数多く知られており、角度調整を実現する機構もさまざまなものが知られている。例えばヒンジやチルト機構を用いて画面の傾斜角度を調節する方法が知られている。湾曲したガイドレールを設けた基台と、このガイドレールに嵌合するスライダを背面下部に取り付けた表示部とによって、画面の傾斜角度を調節する方法なども知られている。
【０００４】
フラットディスプレイパネルの水平面に対する角度を調節する機構に関しては、薄形で平面形の表示装置を、据え置き型、壁掛け型および吊り下げ型のいずれの設置形態でも用いられるようにし、且つ各設置形態に特別の、専用の支持構造部品を削減することを可能にした技術が提案されている（特許文献１参照）。特許文献１に記載の表示装置は、支柱及びディスプレイパネルの間と支柱及び台板の間とをそれぞれねじによって締め付けることによりディスプレイパネルの角度調整を実現し、また、支柱にあけられた穴を用いて画面の高さを調節する。
【特許文献１】特開２００３−２６３１１６号公報
【発明の開示】
【発明が解決しようとする課題】
【０００５】
しかしながら、上述した従来技術では、角度調整を行う構造あるいは機構を設けているため、表示デバイスの製品価格の上昇を招く。表示デバイスの製品価格が高くなったのでは製品として価値が下がる。量産化の検討に当たり、角度調整用の構造あるいは機構を設けるために製品価格がアップすることは有利ではない。
【０００６】
そこで、本発明は、製品価格を出来る限り抑え、少ない部品点数でもってより単純な構造を有する表示デバイスのスタンド機構を提供することを目的とする。
【課題を解決するための手段】
【０００７】
このような課題を解決するため、本発明の一態様によれば、表示部と、この表示部を内蔵するとともに、対向する側壁部、これらの側壁部の間に架設された軸部、及びこの軸部の軸芯周りに沿う複数の箇所にそれぞれ穴が形成された溝底部からなる溝を背面側に設けた筐体と、この軸部が摺動自在に挿通される長穴を一端部に有し、この長穴の一端部側の内壁が前記軸部に当接する位置と、前記長穴の他端部側の内壁が前記軸部に当接する位置との間を前記長穴の長径方向に沿って移動可能にされた脚部と、を備え、前記溝底部に形成された複数の穴のうちのいずれかの穴にこの脚部の一端部の先端部が差込まれることにより前記表示部を設置面に対して所望の起立角度で起立させるとともに、この先端部がこの穴から引抜かれて他の穴に差込まれることによりこの起立角度を調整することを特徴とする表示デバイスのスタンド機構が提供される。
【発明の効果】
【０００８】
本発明によれば、表示部の設置面に対する起立角度を調整するための機構を、筐体及びこの筐体の他は脚部だけによって実現することができるようになり、構造の単純化が図れ、かつこの機構を構成する部品点数を少なくすることができる。
【発明を実施するための最良の形態】
【０００９】
以下、本発明の実施の形態に係る表示デバイスのスタンド機構について、図１乃至図９を参照しながら説明する。尚、各図において同一箇所については同一の符号を付すとともに、重複した説明は省略する。
【００１０】
本発明の実施の形態に係る表示デバイスのスタンド機構は、狭い視野角の画面表示を行う表示部、及びこの表示部を駆動するドライバ回路を設けた回路基板を収容した本体部と、この本体部の背面側に配設したスタンド部材とからなり、このスタンド部材を本体部の背面側に開脚させて、この本体部を所望の角度で後方側に傾斜させた状態で支持するものである。
【００１１】
図１は表示デバイスの設置状態の一例を示す図である。図２（ａ）は表示デバイスの前方斜視図であり、図２（ｂ）は表示デバイスの背面斜視図である。図３は開脚状態の表示デバイスの側面図である。表示デバイス１は水平面を有する台２の上に設置されている。この表示デバイス１は、液晶ディスプレイ等の表示部３と、図示しない回路基板と、表示部３の画面を露出させる開口部を有しこの表示部３の正面側に配置されるフロントケース４と、表示部３の背面側に配置されて外面の左右両端部に溝５が形成されたリアケース６と、それぞれ一端部がこのリアケース６の２つの溝５に嵌挿された２本の角度調整脚（脚部）７とを備えている。これらの表示部３や回路基板と、筐体であるフロントケース４及びリアケース６とによって本体部８が構成されている。
【００１２】
リアケース６の正面側の面とフロントケース４の背面側の面とにはそれぞれ図示しない位置決め用のリブや突起部が形成されている。また、リアケース６の正面側の面の複数箇所には弾性爪が形成されており、フロントケース４の背面側の面のこれらの弾性爪と向き合う箇所にはそれぞれ係止部が形成されている。これらの弾性爪及び係止部が係合することによって、表示部３や回路基板はフロントケース４及びリアケース６によって挟み込まれた状態で保持される。
【００１３】
２本の角度調整脚７の自由端側である他端部が台２の面に接地された場合、図３に示すように、角度調整脚７の長手方向がこの本体部８に対して所定の開脚角度θを成す状態で本体部８は傾斜する。本実施形態に係る表示デバイス１のスタンド機構は、この開脚角度θを大きく又は小さくすることによって、本体部８の水平面に対する傾斜角を小さく又は大きくする構造を有する。以下、利用者がこの表示デバイス１をより上方方向から覗き込みやすい様にするための角度調整機構について図４から図６を参照して説明する。
【００１４】
図４（ａ）は角度調整脚７が嵌込まれた状態の溝５の拡大斜視図である。図４（ｂ）は角度調整脚７が無い状態の溝５の拡大斜視図である。図４（ｃ）は角度調整脚７の斜視図である。図５は溝５の断面矢視図である。図６はリアケース６の正面側の部分拡大斜視図である。
【００１５】
溝５は、対向する２つの側壁部９、１０、これらの側壁部９、１０の間に架設された軸部１１、及び溝底部１２からなる。軸部１１は、図６に示すように、一端に鐔部を有し、この軸部１１の他端部の外周面には環状のくびれ部が形成されている。軸体を側壁部９、１０に形成された軸穴１３、１４に挿通させた後に、このくびれ部に断面Ｃ形の留め輪１５を取り付けることによって軸部１１はリアケース６から抜け止めされる。
【００１６】
角度調整脚７の一端部には軸部１１が摺動自在に挿通される長穴１６が形成されている。角度調整脚７は、長穴１６の一端部側の内壁が軸部１１に当接する位置と、長穴１６の他端部側の内壁が軸部１１に当接する位置との間を長穴１６の長径方向に沿って移動可能にされている。
【００１７】
溝底部１２には、軸部１１の軸芯周りに沿って３箇所にそれぞれ断面略円形の角度穴１７、１８、１９が形成されている。これらの角度穴１７〜１９は角度調整脚７を差込むための位置決め用の穴であり、隣り合う角度穴と一体化されない程度に予め適切に決定された箇所に形成されている。角度穴１７の中心軸線は、リアケース６の背面側端面に対して約９０°傾斜しており、角度穴１７に角度調整脚７の先端部が嵌込まれた状態でこの角度調整脚７が支持されることにより、角度調整脚７とリアケース６との間の開脚角度は９０°にされる。同様に、角度穴１８が角度調整脚７を受け入れることにより、角度調整脚７とリアケース６との間の開脚角度は約４５°にされる。角度穴１９に角度調整脚７が差込まれると、角度調整脚７はリアケース６の背面側端面と略平行にされる。
【００１８】
そして、これらの角度穴１７、１８、１９のうちのいずれかに角度調整脚７の一端部の先端部が差込まれることにより表示部３が水平面に対して所望の起立角度で起立させられるとともに、この先端部が差込まれたいずれかの角度穴から引抜かれて他の角度穴に差込まれることによりこの起立角度が調整される。換言すれば、角度調整脚７を設置するための軸部１１と、リアケース６の背面側の端面に対して中心軸線が傾斜している角度穴１７〜１９と、角度調整脚７と、この角度調整脚７に形成された長穴１６とによって角度調整機構としての機能が実現される。
【００１９】
このような構成の本実施形態に係る表示デバイス１のスタンド機構が、角度調整脚７を、図７のＡに示す状態からＢに示す状態に変更する場合の手順について説明する。ここで、図７は本体部と脚部との成す角度の調整方法を説明するための図であり、図８は溝５の長手方向に沿う断面について本体部８の側面方向から見た矢視図である。図８（ａ）は図３の例と同じ角度となるように角度調整脚７が角度穴１８に差込まれた状態を示している。この状態から利用者は角度調整脚７を角度穴１８から矢印の方へ引っ張ってから、角度調整脚７を長穴１６の長径分引抜く。図８（ａ）の状態から、利用者が図８（ｂ）に示すように、角度調整脚７を、軸部１１の軸芯を中心に所定角度回転させて、図８（ｃ）に示す状態の位置になるまで角度調整脚７を回動させる。この図８（ｃ）の位置において利用者は角度調整脚７を矢印方向に角度穴１７に押し込む。これによって、図８（ｄ）に示すように、角度変更が完了する。
【００２０】
この図８（ｄ）に示す脚位置で表示デバイス１を台２上に置いたときの起立角度の一例を図９の右側に示す。開脚角度を調節することによって、本体部８は起立角度θ１と起立角度θ２との各位置をとる。図８（ｄ）の状態から図８（ａ）の状態に角度調整脚７の開脚角度を変更する場合の手順も、これらの手順と同様の手順により行われる。
【００２１】
また、図７のＡの状態から図７のＣの状態に開脚角度を変更する場合の手順、及び図７のＣの状態から図７のＡの状態に開脚角度を変更する場合の手順も、図７のＡの状態と図７のＢの状態との間の開脚角度の変更手順と同様である。図７のＢの状態と図７のＣの状態との間の開脚角度の変更手順も、図７のＡの状態と図７のＢの状態との間の開脚角度の変更手順と同様である。
【００２２】
図７のＣに示す脚位置では、角度調整脚７の一端部の先端部が角度穴１９に差込まれたとき、この角度調整脚７の他端部は溝５の開口面から突出しないため、この角度調整脚７を本体部８内に収納することが可能になる。従って、表示デバイス１をフック用穴２０により壁掛け設置した状態であっても角度調整脚７が設置の邪魔になることはない。このように、表示デバイス１の設置の自由度を確保することもできるようになる。角度調整脚７が本体部８に収納可能であるため、表示デバイス１を箱などに収納する場合、角度調整脚７がかさばる事が無くなり収納性の点でも優れる。
【００２３】
脚に相当する支持部材だけを筐体から着脱可能にした構造を有する表示機器のスタンドは、この支持部材を筐体から取り外すことにより、壁掛けされた態様でも使用可能となり、また、箱の中に収納することも可能である。ところが、このスタンドでは、支持部材を利用者が紛失するおそれがある。これに対して、本実施形態に係る表示デバイス１のスタンド機構によれば、角度調整脚７を本体部８から取り外さずに本体部８内に収納することができるため、角度調整脚７が本体部８から分離されることがなくなって、角度調整脚７を紛失する恐れも無くなる。
【００２４】
また、本実施形態に係る表示デバイス１のスタンド機構は、角度調整脚７を長穴１６に沿って移動させることによって、この角度調整脚７が本体部８のいずれかの角度穴から引抜かれ、軸部１１を中心に回転した後、別の角度穴に挿入される仕組みを有する。従って、このスタンド機構によれば、ヒンジ、チルト機構、あるいは画面の傾斜角を調節するための特別な機構を設けることなく、開脚角度を変えられるようになる。
【００２５】
このように、表示デバイス１は、台２など設置面に対する設置角度を調整することが必要な表示デバイス１において、本体部８に設けた角度穴１７〜１９、軸部１１、及び角度調整脚７だけの単純な構造により角度調整機構を実現することができる。表示デバイス１を高いテーブルあるいは低いテーブルの上に設置した場合、同じ利用者にとって見やすくなる表示部３の視野角は異なる。テーブル上に設置された表示デバイス１を座高が異なる利用者が見る場合、これらの利用者にとって見やすくなる表示部３の視野角は異なる。本実施形態に係る表示デバイス１のスタンド機構によれば、テーブルの高さや利用者によって異なる視野角に応じて表示部３の設置面に対する傾斜角度を適切に変更調節することができるようになり、かつ、この角度の変更調節機能を少ない部品点数で実現することができる。これにより、表示デバイス１の製造単価を抑制することもできるようになる。
【００２６】
尚、本発明は上記実施形態そのままに限定されるものではなく、実施段階ではその要旨を逸脱しない範囲で構成要素を変形して具体化できる。上記の実施形態では、角度調整脚７の数は２本であったが、互いに平行な３つ以上の溝５をリアケース６の背面に形成し、これらの溝５にそれぞれ角度調整脚７を取り付けてもよい。他端部が例えば幅広に形成された角度調整脚７を用いることによって、本体部８を安定して支持することもできる。この場合、角度調整脚７の本数は１本でもよい。
【００２７】
上記の実施形態では、角度調整脚７が差込まれる穴は３箇所に設けられていたが、角度調整脚７の径を小さくすることによって、溝底部１２に４箇所以上の穴を設けることもできる。この場合も、各穴は互いに重ならないように形成される。開脚角度は、溝５の深さ、軸部１１と溝底部１２との距離、角度調整脚７の長穴１６の配置位置や長さ、及び溝底部１２に設けられる各穴の場所や高さなどによって種々変更可能である。
【００２８】
また、上記の実施形態では、溝底部１２は軸部１１の周面に対して凹状の湾曲面を有し、溝底部１２の一端側が溝５の開口部の長手方向端縁部に連続するようにこの溝底部１２が形成されているが、本実施形態に係る表示デバイス１のスタンド機構では、溝底部が、水平な底面と、この底面の一端部から傾斜して上縁が溝の開口部の端縁部に連続する傾斜面とによって構成されてもよい。この場合においても、複数の穴がこれらの底面及び傾斜面に形成されて、角度調整脚７の一端部の先端部がこれらの穴に差込まれ、及び引抜かれることによって、上述した効果と同様の効果を得ることができる。
【図面の簡単な説明】
【００２９】
【図１】表示デバイスの設置状態の一例を示す図である。
【図２】（ａ）は表示デバイスの前方斜視図であり、（ｂ）は表示デバイスの背面斜視図である。
【図３】開脚状態の表示デバイスの側面図である。
【図４】（ａ）は脚部が嵌込まれた状態の溝の拡大斜視図であり、（ｂ）は脚部が無い状態の溝の拡大斜視図であり、（ｃ）は脚部の斜視図である。
【図５】溝の断面矢視図である。
【図６】本体部を構成するリアケースの正面側の部分拡大斜視図である。
【図７】本体部と脚部との成す角度の調整方法を説明するための図である。
【図８】（ａ）〜（ｄ）はいずれも溝の長手方向に沿う断面について本体部の側面方向から見た矢視図である。
【図９】起立角度の一例を示す図である。
【符号の説明】
【００３０】
１…表示デバイス、２…台、３…表示部、４…フロントケース（筐体）、５…溝、６…リアケース（筐体）、７…角度調整脚（脚部）、８…本体部、９，１０…側壁部、１１…軸部、１２…溝底部、１３，１４…軸穴、１５…留め輪、１６…長穴、１７〜１９…角度穴、２０…フック用穴。
【図１】
0004575941.tif 000002
【図２】
0004575941.tif 000003
【図３】
0004575941.tif 000004
【図４】
0004575941.tif 000005
【図５】
0004575941.tif 000006
【図６】
0004575941.tif 000007
【図７】
0004575941.tif 000008
【図８】
0004575941.tif 000009
【図９】
0004575941.tif 000010